(57)【要約】【課題】匿名性を保ったまま現実世界において注視している対象とネット上のコミュニケーションを行うことができる情報処理装置、情報処理方法、プログラム、記録媒体、及び情報処理システムを提供する。【解決手段】情報処理装置は、ユーザが注視する対象を含む映像を取得する映像取得部と、上記映像中の上記対象と対応づけられる公開情報への期限付アクセス権が付与されたアクセス情報を取得するアクセス情報取得部と、上記アクセス情報を用いて、上記公開情報を取得する公開情報取得部と、上記公開情報の表示を制御する表示制御部と、を有する。【選択図】図１
2013054494.tif 000002
【特許請求の範囲】
【請求項１】
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置。
【請求項２】
前記公開情報は、前記ユーザからのアクションを受付ける受付領域を含む、請求項１に記載の情報処理装置。
【請求項３】
前記公開情報取得部は、前記公開情報の種類に基づいて選択される公開情報を取得する、請求項１に記載の情報処理装置。
【請求項４】
前記公開情報取得部は、前記公開情報の公開者の属性に基づいて選択される公開情報を取得する、請求項１に記載の情報処理装置。
【請求項５】
前記公開情報取得部は、前記対象との距離に基づいて選択される公開情報を取得する、請求項１に記載の情報処理装置。
【請求項６】
前記対象の位置を推定する位置推定部、
をさらに備え、
前記アクセス情報取得部は、推定された前記位置に基づいて特定される前記対象と対応づけられる前記アクセス情報を取得する、
請求項１に記載の情報処理装置。
【請求項７】
前記対象の視界を推定する視界推定部、
をさらに備え、
前記アクセス情報取得部は、推定された前記視界にさらに基づいて特定される前記対象と対応づけられる前記アクセス情報を取得する、
請求項６に記載の情報処理装置。
【請求項８】
前記表示制御部は、前記情報処理装置と対応づけられる頭部装着型表示装置に前記公開情報を表示させる、
請求項１に記載の情報処理装置。
【請求項９】
前記アクセス情報取得部は、前記映像から、前記対象が発信する光の点滅パターンを取得し、前記点滅パターンに基づいて前記アクセス情報を取得する、
請求項１に記載の情報処理装置。
【請求項１０】
前記受付領域は、前記ユーザが募金を行うためのボタンを含む、請求項２に記載の情報処理装置。
【請求項１１】
前記受付領域は、前記公開情報の公開者へ送付するコメントの入力欄を含む、請求項２に記載の情報処理装置。
【請求項１２】
前記受付領域により受付けられた前記アクションは、前記公開情報を提供する公開情報提供サーバに送信され、
前記公開情報提供サーバに送信された前記アクションは、所定の条件を満たした後に、前記公開情報の公開者へ通知される、請求項２に記載の情報処理装置。
【請求項１３】
前記所定の条件は、前記アクションの受付から所定時間経過することである、
請求項１２に記載の情報処理装置。
【請求項１４】
前記所定の条件は、前記ユーザと前記公開情報の公開者とが所定の距離離れたことである、
請求項１２に記載の情報処理装置。
【請求項１５】
前記公開情報は、アフィリエイトリンクを含む、
請求項１に記載の情報処理装置。
【請求項１６】
ユーザが注視する対象を含む映像を取得することと、
前記映像中の前記対象と対応づけられる公開情報への期限付アクセス権が付与されたアクセス情報を取得することと、
前記アクセス情報を用いて、前記公開情報を取得することと、
前記公開情報の表示を制御することと、
を含む、情報処理方法。
【請求項１７】
コンピュータを、
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置として機能させるためのプログラム。
【請求項１８】
コンピュータを、
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置として機能させるためのプログラムを記録する、コンピュータに読取り可能な記録媒体。
【請求項１９】
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置と、
位置情報に基づいて特定される前記対象と対応づけられる前記公開情報への前記アクセス情報を前記情報処理装置に提供する位置共有サーバと、
前記期限付アクセス権を有する前記ユーザからのアクセスに応じて、前記公開情報を提供する公開情報提供サーバと、
を備える、情報処理システム。
【請求項２０】
前記公開情報は、前記ユーザからのアクションを受付ける受付領域を含み、
前記公開情報提供サーバは、前記ユーザからのアクションを受付けると、所定の条件を満たした後に、前記アクションの受付を前記公開情報の公開者へ通知する、請求項１９に記載の情報処理システム。
【発明の詳細な説明】
【技術分野】
【０００１】
本開示は、情報処理装置、情報処理方法、プログラム、記録媒体、及び情報処理システムに関する。
【背景技術】
【０００２】
近年、インターネット上でのコミュニケーション形態が多様化している。このコミュニケーション形態の多様化に伴い、現実世界におけるコミュニケーションとインターネット上でのコミュニケーションの融合も提案されてきた。例えば、特許文献１には、ＳＮＳ（Ｓｏｃｉａｌ  Ｎｅｔｗｏｒｋ  Ｓｅｒｖｉｃｅ）上における友達情報を用いて、友達を介してリンクされる人物が現実世界において近くに居る場合に通知することにより現実世界のコミュニケーションの促進を支援するシステムが開示されている。
【先行技術文献】
【特許文献】
【０００３】
【特許文献１】特開２００８−４８２８７号公報
【発明の概要】
【発明が解決しようとする課題】
【０００４】
上記のように、インターネット上のコミュニケーションと現実世界のコミュニケーションの融合により、現実世界におけるコミュニケーションの促進を支援する取り組みは、比較的活発になされてきた。しかし、匿名性を保ったまま現実世界においてネット上のコミュニケーションを利用するニーズが潜在的に存在している可能性がある。
【０００５】
そこで、本開示では、匿名性を保ったまま現実世界において注視している対象とネット上のコミュニケーションを行うことのできる、新規かつ改良された情報処理装置、情報処理方法、プログラム、記録媒体、及び情報処理システムを提案する。
【課題を解決するための手段】
【０００６】
本開示によれば、ユーザが注視する対象を含む映像を取得する映像取得部と、上記映像中の上記対象と対応づけられる公開情報への期限付アクセス権が付与されたアクセス情報を取得するアクセス情報取得部と、上記アクセス情報を用いて、上記公開情報を取得する公開情報取得部と、上記公開情報の表示を制御する表示制御部と、を備える情報処理装置が提供される。
【０００７】
また、本開示によれば、ユーザが注視する対象を含む映像を取得することと、上記映像中の上記対象と対応づけられる公開情報への期限付アクセス権が付与されたアクセス情報を取得することと、上記アクセス情報を用いて、上記公開情報を取得することと、上記公開情報の表示を制御することと、を含む情報処理方法が提供される。
【０００８】
また、本開示によれば、コンピュータを、ユーザが注視する対象を含む映像を取得する映像取得部と、上記映像中の上記対象と対応づけられる公開情報への期限付アクセス権が付与されたアクセス情報を取得するアクセス情報取得部と、上記アクセス情報を用いて、上記公開情報を取得する公開情報取得部と、上記公開情報の表示を制御する表示制御部と、を備える、情報処理装置として機能させるためのプログラムが提供される。
【０００９】
また、本開示によれば、コンピュータを、ユーザが注視する対象を含む映像を取得する映像取得部と、上記映像中の上記対象と対応づけられる公開情報への期限付アクセス権が付与されたアクセス情報を取得するアクセス情報取得部と、上記アクセス情報を用いて、上記公開情報を取得する公開情報取得部と、上記公開情報の表示を制御する表示制御部と、を備える、情報処理装置として機能させるためのプログラムを記録する、コンピュータに読取り可能な記録媒体が提供される。
【００１０】
また、本開示によれば、ユーザが注視する対象を含む映像を取得する映像取得部と、上記映像中の上記対象と対応づけられる公開情報への期限付アクセス権が付与されたアクセス情報を取得するアクセス情報取得部と、上記アクセス情報を用いて、上記公開情報を取得する公開情報取得部と、上記公開情報の表示を制御する表示制御部と、を備える情報処理装置と、位置情報に基づいて特定される上記対象と対応づけられる上記公開情報への上記アクセス情報を上記情報処理装置に提供する位置共有サーバと、上記期限付アクセス権を有する上記ユーザからのアクセスに応じて、上記公開情報を提供する公開情報提供サーバと、を備える情報処理システムが提供される。
【発明の効果】
【００１１】
以上説明したように本開示によれば、匿名性を保ったまま現実世界において注視している対象とネット上のコミュニケーションを行うことができる。
【図面の簡単な説明】
【００１２】
【図１】本開示の一実施形態に係るコミュニケーションシステムの概要を説明する説明図である。
【図２】本開示の第１の実施形態に係るコミュニケーションシステムの構成を示す説明図である。
【図３】同実施形態に係るユーザ装置の機能構成を示すブロック図である。
【図４】同実施形態における対象位置の推定方法を概略的に説明する説明図である。
【図５】同実施形態における視線方向の特定方法を概略的に説明する説明図である。
【図６】同実施形態におけるユーザから対象位置までの距離推定方法の第１の例を示す説明図である。
【図７】同実施形態におけるユーザから対象位置までの距離推定方法の第２の例を示す説明図である。
【図８】同実施形態におけるユーザから対象位置までの距離推定方法の第３の例を示す説明図である。
【図９】同実施形態に係るユーザ装置のハードウェア構成を示すブロック図である。
【図１０】同実施形態に係る位置共有サーバの機能構成を示すブロック図である。
【図１１】同実施形態に係る公開情報サーバの機能構成を示すブロック図である。
【図１２】同実施形態における公開情報の一例について説明する説明図である。
【図１３】同実施形態における公開情報の他の一例について説明する説明図である。
【図１４】同実施形態における公開情報の他の一例について説明する説明図である。
【図１５】同実施形態におけるアクション通知の一例を示す説明図である。
【図１６】同実施形態に係るコミュニケーションシステムの動作例を示すシーケンス図である。
【図１７】同実施形態に係るコミュニケーションシステムの他の動作例を示すシーケンス図である。
【図１８】本開示の第２の実施形態に係るコミュニケーションシステムの構成を示す説明図である。
【図１９】同実施形態における視覚共有について概略的に示す説明図である。
【図２０】同実施形態に係るユーザ装置の機能構成を示すブロック図である。
【図２１】同実施形態に係る位置・視界共有サーバの機能構成を示すブロック図である。
【図２２】同実施形態に係るコミュニケーションシステムの動作例を示すシーケンス図である。
【図２３】本開示の第３の実施形態に係るコミュニケーションシステムの構成を示す説明図である。
【図２４】同実施形態に係るユーザ装置の構成を示すブロック図である。
【図２５】同実施形態に係るコミュニケーションシステムの動作を示すシーケンス図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．概要
２．第１の実施形態（位置情報に基づいてアクセス情報を取得する例）
２−１．システム構成
２−２．ユーザ装置の機能構成
２−３．ユーザ装置のハードウェア構成例
２−４．位置共有サーバの機能構成
２−５．公開情報サーバの機能構成
２−６．動作例
３．第２の実施形態（位置情報及び視界情報に基づいてアクセス情報を取得する例）
３−１．システム構成
３−２．ユーザ装置の機能構成
３−３．位置・視界共有サーバの機能構成
３−４．動作例
４．第３の実施形態（アクセス情報を情報公開者が発信する例）
４−１．システム構成
４−２．ユーザ装置の機能構成
４−３．動作例
５．個人情報について
６．効果の例
【００１５】
＜１．概要＞
まず、図１を参照しながら、本開示の各実施形態に係るコミュニケーションシステムの概要について説明する。図１は、本開示の一実施形態に係るコミュニケーションシステムの概要を説明する説明図である。
【００１６】
上述の通り、本開示は、現実世界において目の前に居る対象人物を特定し、特定された人物との匿名かつその場限りのコミュニケーションを支援するコミュニケーションシステムである。
【００１７】
具体的にこのコミュニケーションシステムを用いて実現することのできるユーザ体験の例をここで説明する。図１に示すように、ユーザ５は、例えば街中で、所有するユーザ装置１０に予めインストールされた特定のアプリケーションを起動して対象人物６に向ける。すると、ユーザ装置１０の画面には、対象人物６を含む映像が表示されると共に、映像上に対象人物６が予め公開している公開情報５０が表示される。
【００１８】
普段、街中などにおいて見かける人は、話しかける機会がない限りコミュニケーションをとることはない。しかし、本開示のコミュニケーションシステムを用いれば、ユーザ５は、目の前に居る特定の対象人物６がネット上において公開している情報にアクセスすることができる。この公開情報は、例えば情報公開者が予め入力したメッセージであってよい。或いは、公開情報は、この公開情報にアクセスした人からのアクションを受付ける受付領域を含んでいてもよい。公開情報の詳細については、後述される。
【００１９】
上述の通り、本開示のコミュニケーションシステムは、実際に目の前に居る特定の対象人物６とのインターネット上でのコミュニケーションを可能にする。またこのコミュニケーションは匿名で行われる。このため、プライバシーへの配慮も重要な要素となる。例えば、特定した対象人物６を追跡することができないように、公開情報へのアクセスは、実際に対象人物６を特定してから所定の期間内のみ可能とすることが好ましい。例えば、アクセスＩＤを変化させることにより、特定の対象人物６を追跡することが出来ないようにしてもよい。
【００２０】
以下、対象人物の特定方法が異なる複数の実施形態を例に挙げて、本開示のコミュニケーションシステムについて説明する。
【００２１】
＜２．第１の実施形態（位置情報に基づいてアクセス情報を取得する例）＞
［２−１．システム構成］
まず、本開示の第１の実施形態に係るコミュニケーションシステムの構成について、図２を参照しながら説明する。図２は、本開示の第１の実施形態に係るコミュニケーションシステムの構成を示す説明図である。
【００２２】
コミュニケーションシステム１は、ユーザ５の保持するユーザ装置１０ａと、位置共有サーバ２０と、公開情報サーバ３０と、対象人物６（又は情報公開者とも言う。）の保持する情報公開者端末４０とを主に有する。
【００２３】
なお、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて（ここでは各実施形態毎に）ユーザ装置１０ａ、ユーザ装置１０ｂのように区別する。ただし、実質的に同一の機能構成を有する複数の構成要素の各々を特に区別する必要がない場合、同一符号のみを付する。例えば、ユーザ装置１０ａ及びユーザ装置１０ｂなどを特に区別する必要が無い場合には、単にユーザ装置１０と称する。
【００２４】
本実施形態に係るコミュニケーションシステム１は、対象人物６の位置を推定し、推定された位置情報に基づいて対象人物６の公開情報が特定される。このため、情報公開者である対象人物６は、予め公開情報を公開情報サーバ３０に登録する。また、対象人物６は、移動に伴って自身の位置情報を位置共有サーバ２０にアップロードする。例えば位置情報のアップロードは、所定時間間隔で定期的に実行されてよい。この共有される位置情報と、ユーザ装置１０ａにより推定される対象人物６の位置とを比較することにより、対象人物６が公開する公開情報が特定される。
【００２５】
以下では、このコミュニケーションシステム１に含まれる各構成要素の詳細について説明する。
【００２６】
［２−２．ユーザ装置の機能構成］
次に、図３〜図８を参照しながら、本実施形態に係るユーザ装置の機能構成について説明する。図３は、同実施形態に係るユーザ装置の機能構成を示すブロック図である。図４は、同実施形態における対象位置の推定方法を概略的に説明する説明図である。図５は、同実施形態における視線方向の特定方法を概略的に説明する説明図である。図６は、同実施形態におけるユーザから対象位置までの距離推定方法の第１の例を示す説明図である。図７は、同実施形態におけるユーザから対象位置までの距離推定方法の第２の例を示す説明図である。図８は、同実施形態におけるユーザから対象位置までの距離推定方法の第３の例を示す説明図である。
【００２７】
（（ユーザ装置１０ａ））
図３を参照すると、本実施形態に係るユーザ装置１０ａは、映像取得部１０１と、対象位置推定部１０２と、方位取得部１０３と、位置情報取得部１０４と、対象距離取得部１０５と、アクセス情報取得部１０６ａと、公開情報取得部１０７と、表示制御部１０８と、を主に有する。
【００２８】
（映像取得部１０１）
映像取得部１０１は、ユーザ５が注視する対象（対象人物、又は対象物など）を含む映像を取得する機能を有する。映像取得部１０１は、例えば撮像装置であってよい。或いは、映像取得部１０１は、ユーザ装置１０ａとは別体の撮像装置により撮影される映像を取得してもよい。但し映像取得部１０１が取得する映像は、概ねリアルタイムの映像である。なぜならば、ユーザ５は、この映像取得部１０１により取得される映像を見ながらこの映像中に含まれる対象人物６を特定する。そして、この映像中の対象人物６の位置を推定し、推定される位置と実際に対象人物６が共有する位置情報とを比較することによって対象人物６の公開情報が特定される。このため、映像取得部１０１が取得する映像は、概ねリアルタイムの映像であることが望ましい。また、ユーザ５が注視する対象を含む映像を取得するために、映像取得部１０１がユーザ装置１０ａとは別体の撮像装置により撮影される映像を取得する場合には、この撮像装置は、ユーザ５の位置を取得する位置情報取得部１０４を有する装置とごく近距離に存在するものとする。映像取得部１０１は、表示制御部１０８に取得した映像を供給すると共に、対象位置推定部１０２に取得した映像を供給することができる。
【００２９】
（対象位置推定部１０２）
対象位置推定部１０２は、対象人物６の位置を推定する機能を有する。対象位置推定部１０２は、図４に示すように、ユーザ位置Ｐ１（ｘ１，ｙ１）から対象人物６までの距離Ｒと視線方向θ１を用いることによって、対象位置Ｐ２（ｘ２，ｙ２）を算出することができる。このとき対象位置推定部１０２は、方位取得部１０３から取得する機器方位θ２の値を用いて、対象人物６への視線方位を算出することができる。例えば対象人物６が表示画面の中央付近となるときには、対象位置推定部１０２は、機器方位θ２を視線方向θ１とすることができる。或いは対象位置推定部１０２は、表示画面の中心から外れた位置の対象人物が指定される場合には、画角に対する対象人物の位置から機器方位θ２からの視線方向θ１の方位差θ３を算出することによって視線方向θ１を算出することができる。例えば図５に示されるように、画面中心から対象人物までの角度θ３、画角の半分の角度θ４、画素数ｓ、及び画素数ｗの間には、以下の数式（１）の関係が成り立つ。
【００３０】
ｓ／ｗ＝ｔａｎθ３／ｔａｎθ４・・・数式（１）
【００３１】
ここで、画素数ｗは、表示画面の横幅の半分の画素数であり、画素数ｓは、表示画面中心から対象人物６の位置までの距離を示す画素数である。この数式の関係を利用することによって角度θ３の値が求められる。ここで機器方位は、方位取得部１０３により取得される。このため、対象位置推定部１０２は、求められた角度θ３の値を用いて、機器方位θ２に画面中心から対象人物までの角度θ３を加えることによって視線方向θ１を算出する（θ１＝θ２＋θ３）ことができる。
【００３２】
対象位置推定部１０２は、ユーザ装置１０ａの現在位置Ｐ１（ｘ１，ｙ１）から視線方向θ１に距離Ｒ移動した位置を対象位置Ｐ２（ｘ２，ｙ２）とすることができる。ここで、現在位置Ｐ１は、位置情報取得部１０４から供給される。また視線方向θ１は、方位取得部１０３から供給される機器方位θ２の値を用いることによって上述の通り算出される。また距離Ｒは、対象距離取得部１０５から供給される。
【００３３】
（方位取得部１０３）
方位取得部１０３は、ユーザ装置１０の機器方位θ２を取得する機能を有する。方位取得部１０３は、例えば３軸加速度センサと３軸地磁気センサとを用いることにより実現することができる。例えば方位取得部１０３は、３軸加速度センサにより取得される３軸方向の加速度データに基づいて所定の姿勢角検出処理を行うことにより生成される姿勢角データと、３軸地磁気センサにより検出される３軸方向の地磁気データとに基づいて、ユーザ装置１０の機器方位θ２を示す方位データを生成することができる。方位取得部１０３は、生成した方位データを対象位置推定部１０２に供給することができる。
【００３４】
（位置情報取得部１０４）
位置情報取得部１０４は、ユーザ装置１０の現在の位置情報を取得する機能を有する。位置情報取得部１０４は、例えば複数のＧＰＳ衛星からのＧＰＳ信号を受信するＧＰＳアンテナと、受信したＧＰＳ信号に基づいてユーザ装置１０の現在位置を示す位置情報を算出するＧＰＳ処理部とにより実現されてよい。また、位置情報取得部１０４は、ＧＰＳ以外の測位衛星を用いてユーザ装置１０の現在の位置情報を取得してもよい。例えば、ＧＰＳ以外の測位衛星としては、ガリレオ、ＧＬＯＮＡＳＳ、北斗、みちびきなどが挙げられる。このとき、測位衛星は、１つの種類の衛星が用いられてもよいし、複数の種類の衛星による測位信号が組合わせて用いられてもよい。実施する時々の技術レベルに応じて、適宜、位置情報取得のために利用する構成を変更することが可能である。また位置情報取得部１０４は、複数の基地局からのＷｉＦｉ電波を受信する受信機と、受信したＷｉＦｉ電波の受信強度から各基地局との距離を推定し、各基地局との距離及び各基地局の位置を利用して三角測量の原理に基づいて現在位置を算出する現在位置算出部により実現されてもよい。或いは、位置情報取得部１０４は、絶対測位機能と併せて、ジャイロセンサ及び加速度センサから取得することのできる進行方向と速度を用いて現在位置を算出する自律航法の機能を有してもよい。位置情報取得部１０４は、取得した位置情報を対象位置推定部１０２に供給することができる。
【００３５】
（対象距離取得部１０５）
対象距離取得部１０５は、ユーザ装置１０から対象人物６までの距離Ｒを取得することができる。対象距離取得部１０５は、取得した距離Ｒの値を対象位置推定部１０２に供給することができる。
【００３６】
対象距離取得部１０５は、例えば図６に示されるように対象人物６の表示画面上の大きさ（画素数）を用いてユーザ装置１０から対象人物６までの距離Ｒを取得してもよい。例えばこの場合、対象距離取得部１０５は、平均的な顔の大きさＨ（ｍ）を仮定する。そして、対象距離取得部１０５は、表示画面上における顔の大きさｈ（ｐｉｘｅｌ）を用いて下記に示す関係を用いることにより、距離Ｒを算出することができる。すなわち、数式（２）に数式（３）の関係を適用することによって、数式（４）が導かれる。この数式（４）を用いることによって距離Ｒが算出される。ここで、ｌは表示画面の縦幅の半分の値であり、Ｌは、このｌに対応する実際の距離とする。
【００３７】
2013054494.tif 000003
【００３８】
また、対象距離取得部１０５は、例えば図７に示されるように複眼カメラの視差を用いることによってユーザ装置１０から対象人物６までの距離Ｒを推定することができる。このとき対象距離取得部１０５は、下記の数式（５）の関係を用いることによって、距離Ｒを算出することができる。
【００３９】
2013054494.tif 000004
【００４０】
また、対象距離取得部１０５は、例えば図８に示されるように、測距センサを用いることによって、ユーザ装置１０から対象人物６までの距離Ｒを取得してもよい。対象距離取得部１０５としては、各種の測距センサが用いられてよい。例えば、ここで用いられる測距センサとしては、超音波測距センサ、静電容量変位測距センサ、光学式測距センサ、電磁波測距センサなどが挙げられるが、上記に限られない。
【００４１】
（アクセス情報取得部１０６ａ）
アクセス情報取得部１０６ａは、映像取得部１０１により取得される映像中の対象人物６と対応づけられる公開情報への期限付アクセス権が付与されたアクセス情報を取得する機能を有する。アクセス情報取得部１０６ａは、対象位置推定部１０２により推定された、対象人物６の位置情報に基づいて、アクセス情報を取得することができる。具体的には、アクセス情報取得部１０６ａは、位置共有サーバ２０に、推定された対象人物６の位置情報を送信する。そしてアクセス情報取得部１０６ａは、この位置情報に基づいて特定された人物の公開情報にアクセスするためのアクセス情報を受信する。アクセス情報取得部１０６ａは、取得したアクセス情報を公開情報取得部１０７に供給することができる。
【００４２】
（公開情報取得部１０７）
公開情報取得部１０７は、アクセス情報取得部１０６から供給されるアクセス情報を用いて、公開情報を取得する機能を有する。具体的には、公開情報取得部１０７は、アクセス情報を用いて、公開情報サーバ３０に対象人物６の公開情報を要求する。公開情報サーバ３０が対象人物６の公開情報を送信すると、公開情報取得部１０７は、送信された公開情報を受信して表示制御部１０８に取得した公開情報を供給することができる。
【００４３】
また、公開情報取得部１０７は、公開情報の種類に基づいて選択される公開情報を取得することができる。例えば、後述される共感ボタン５０２を含む公開情報のみを見たいユーザ５は、共感ボタン５０２を含む公開情報のみが取得されるように設定してもよい。またアフィリエイトリンクを含む公開情報のみを見たいユーザ５は、アフィリエイトリンクを含む公開情報のみが取得されるように設定してもよい。また公開情報取得部１０７は、公開情報の公開者の属性に基づいて選択される公開情報を取得することもできる。例えば、ユーザ５が企業が公開する公開情報のみを参照したい場合には、公開者の属性が個人ではなく企業である公開情報のみが取得されるように設定することができる。また、公開情報取得部１０７は、対象人物６との距離に基づいて選択される公開情報を取得することもできる。また、公開情報取得部１０７は、予め設定される非表示ワードを含む公開情報は取得しないように取得する公開情報の選択をしてもよい。ここで、公開情報の選択は、公開情報取得部１０７が行ってもよいし、公開情報サーバ３０において行われてもよい。
【００４４】
（表示制御部１０８）
表示制御部１０８は、ユーザ装置１０の表示画面の表示を制御する機能を有する。表示制御部１０８は、例えば映像取得部１０１により取得される映像を表示画面に表示させることができる。また表示制御部１０８は、公開情報取得部１０７により取得される公開情報を表示画面に表示させることもできる。例えば表示制御部１０８は、映像取得部１０１により取得される対象人物６の映像上に公開情報を重畳して表示させてもよい。また、表示制御部１０８は、表示させた公開情報にユーザ５からのアクションを受付ける受付領域が含まれるとき、この受付領域に対するユーザ５からのアクションに応じて表示を制御すると共に、アクションに応じた情報を公開情報サーバ３０に送信することもできる。なお、表示制御部１０８は、ユーザ装置１０に内蔵される表示装置に表示される表示画面の表示を制御してもよい。或いは表示制御部１０８は、ユーザ装置１０とは別体の表示装置に表示される表示画面の表示を制御することもできる。
【００４５】
以上、本実施形態に係るユーザ装置１０ａの機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。以下において、このユーザ装置１０ａの機能を実現するためのハードウェア構成の一例が示される。しかし、本実施形態を実施する時々の技術レベルに応じて、適宜、利用する構成を変更することが可能である。
【００４６】
なお、上述のような本実施形態に係るユーザ装置１０ａの各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００４７】
［２−３．ユーザ装置のハードウェア構成例］
次に、図９を参照しながら、本開示の一実施形態に係るユーザ装置１０のハードウェア構成例について説明する。図９は、同実施形態に係るユーザ装置のハードウェア構成を示すブロック図である。
【００４８】
ここで、ユーザ装置１０の構成の一例について説明する。図９を参照すると、ユーザ装置１０は、例えば、電話網アンテナ８１７と、電話処理部８１９と、ＧＰＳアンテナ８２１と、ＧＰＳ処理部８２３と、Ｗｉｆｉアンテナ８２５と、Ｗｉｆｉ処理部８２７と、地磁気センサ８２９と、加速度センサ８３１と、ジャイロセンサ８３３と、気圧センサ８３５と、撮像部８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作部８４７と、表示部８４９と、デコーダ８５１と、スピーカ８５３と、エンコーダ８５５と、マイク８５７と、記憶部８５９とを有する。ユーザ装置１０は、例えばスマートフォンであってよい。
【００４９】
（電話網アンテナ８１７）
電話網アンテナ８１７は、通話及び通信用の携帯電話網と無線で接続する機能を有するアンテナの一例である。電話網アンテナ８１７は、携帯電話網を介して受信される通話信号を電話処理部８１９に供給することができる。
【００５０】
（電話処理部８１９）
電話処理部８１９は、電話網アンテナ８１７により送受信される信号に対する各種の信号処理を行う機能を有する。電話処理部８１９は、例えばマイク８５７を介して入力され、エンコーダ８５５によりエンコードされた音声信号に対して各種の信号処理を行い、電話網アンテナ８１７に供給することができる。また電話処理部８１９は、電話網アンテナ８１９から供給される音声信号に対して各種の信号処理を行い、デコーダ８５１に供給することができる。
【００５１】
（ＧＰＳアンテナ８２１）
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理部８２３に入力する。
【００５２】
（ＧＰＳ処理部８２３）
ＧＰＳ処理部８２３は、測位衛星から受信された信号に基づいて位置情報を算出する算出部の一例である。ＧＰＳ処理部８２３は、ＧＰＳアンテナ８２１から入力された複数のＧＰＳ信号に基づいて現在の位置情報を算出し、算出した位置情報を出力する。具体的には、ＧＰＳ処理部８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該携帯端末３０までの距離をそれぞれ算出する。そして、算出された各ＧＰＳ衛星の位置と、各ＧＰＳ衛星から当該携帯端末３０までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【００５３】
（Ｗｉｆｉアンテナ８２５）
Ｗｉｆｉアンテナ８２５は、例えば無線ＬＡＮ（Ｌｏｃａｌ  Ａｒｅａ  Ｎｅｔｗｏｒｋ）通信網との通信信号をＷｉｆｉの仕様に従って送受信する機能を有するアンテナである。Ｗｉｆｉアンテナ８２５は、受信した信号を通信処理部８２７に供給することができる。
【００５４】
（Ｗｉｆｉ処理部８２７）
Ｗｉｆｉ処理部８２７は、Ｗｉｆｉアンテナ８２５から供給された信号に各種の信号処理を行う機能を有する。Ｗｉｆｉ処理部８２７は、供給されたアナログ信号から生成したデジタル信号をＣＰＵ８３９に供給することができる。
【００５５】
（地磁気センサ８２９）
地磁気センサ８２９は、地磁気を電圧値として検出するセンサである。地磁気センサ８２９は、Ｘ軸方向、Ｙ軸方向、及びＺ軸方向の地磁気をそれぞれ検出する３軸地磁気センサであってよい。地磁気センサ８２９は、検出した地磁気データをＣＰＵ８３９に供給することができる。
【００５６】
（加速度センサ８３１）
加速度センサ８３１は、加速度を電圧値として検出するセンサである。加速度センサ８３１は、Ｘ軸方向に沿った加速度、Ｙ軸方向に沿った加速度、及びＺ軸方向に沿った加速度をそれぞれ検出する３軸加速度センサであってよい。加速度センサ８３１は、検出した加速度データをＣＰＵ８３９に供給することができる。
【００５７】
（ジャイロセンサ８３３）
ジャイロセンサ８３３は、物体の角度や角速度を検出する計測器の一種である。このジャイロセンサ８３３は、Ｘ軸、Ｙ軸、及びＺ軸周りの回転角の変化する速度（角速度）を電圧値として検出する３軸ジャイロセンサであってよい。ジャイロセンサ８３３は、検出した角速度データをＣＰＵ８３９に供給することができる。
【００５８】
（気圧センサ８３５）
気圧センサ８３５は、周囲の気圧を電圧値として検出するセンサである。気圧センサ８３５は、気圧を所定のサンプリング周波数で検出し、検出した気圧データをＣＰＵ８３９に供給することができる。
【００５９】
（撮像部８３７）
撮像部８３７は、ＣＰＵ８３９の制御に従い、レンズを介して静止画像又は動画像を撮影する機能を有する。撮像部８３７は、撮影した画像を記憶部８５９に記憶させてもよい。
【００６０】
（ＣＰＵ８３９）
ＣＰＵ８３９は、演算処理装置及び制御装置として機能し、各種プログラムに従って携帯端末３０内の動作全般を制御する。またＣＰＵ８３９は、マイクロプロセッサであってもよい。このＣＰＵ８３９は、各種プログラムに従って様々な機能を実現することができる。
【００６１】
（ＲＯＭ８４１，ＲＡＭ８４３）
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【００６２】
（操作部８４７）
操作部８４７は、ユーザ５が所望の操作をするための入力信号を生成する機能を有する。操作部８４７は、例えばタッチセンサ、マウス、キーボード、ボタン、マイク、スイッチ及びレバーなどユーザ５が情報を入力するための入力部と、ユーザ５による入力に基づいて入力信号を生成し、ＣＰＵ８３９に出力する入力制御回路などから構成されてよい。
【００６３】
（表示部８４９）
表示部８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部８４９は、ユーザ５に対して画面を表示することにより情報を提供することができる。
【００６４】
（デコーダ８５１，スピーカ８５３）
デコーダ８５１は、ＣＰＵ８３９の制御に従い、入力されたデータのデコード及びアナログ変換などを行う機能を有する。デコーダ８５１は、例えば電話網アンテナ８１７及び電話処理部８１９を介して入力された音声データのデコード及びアナログ変換などを行い、音声信号をスピーカ８５３に出力することができる。またデコーダ８５１は、例えばＷｉｆｉアンテナ８２５及びＷｉｆｉ処理部８２７を介して入力された音声データのデコード及びアナログ変換などを行い、音声信号をスピーカ８５３に出力することができる。スピーカ８５３は、デコーダ８５１から供給される音声信号に基づいて音声を出力することができる。
【００６５】
（エンコーダ８５５，マイク８５７）
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【００６６】
（記憶部８５９）
記憶部８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００６７】
［２−４．位置共有サーバの機能構成］
次に、図１０を参照しながら本開示の第１の実施形態に係る位置共有サーバの機能構成について説明する。図１０は、同実施形態に係る位置共有サーバの機能構成を示すブロック図である。
【００６８】
（（位置共有サーバ２０））
図１０を参照すると、位置共有サーバ２０は、公開者位置取得部２０１と、公開者位置情報記憶部２０２と、問合せ位置取得部２０３と、マッチング部２０４と、通知部２０５とを主に有する。
【００６９】
（公開者位置取得部２０１）
公開者位置取得部２０１は、公開情報を公開する公開者の位置情報を取得する機能を有する。公開者位置取得部２０１は、公開者の位置情報を受信すると、公開者位置情報記憶部２０２に公開者の位置情報を記録することができる。このとき公開者位置取得部２０１は、例えば公開者を識別する識別子を位置情報と共に受信して、識別子を位置情報と対応付けて記録することができる。また公開者位置取得部２０１は、例えば位置情報を取得した日時を記録してもよい。
【００７０】
（公開者位置情報記憶部２０２）
公開者位置情報記憶部２０２は、公開者の位置情報を記憶する記憶部である。公開者位置情報記憶部２０２に記録される公開者位置情報は、上述の通り位置情報と、公開者の識別子と、位置情報が取得された日時とを含んでもよい。公開者位置情報記憶部２０２は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００７１】
（問合せ位置取得部２０３）
問合せ位置取得部２０３は、ユーザ装置１０ａから送信される対象人物６の位置（ここではユーザ装置１０ａがアクセス情報問合せのために送信する位置情報であるため問合せ位置と称する。）を取得する機能を有する。ここで問合せ位置取得部２０３が取得する問合せ位置は、ユーザ装置１０ａにより推定された対象人物６の位置情報である。問合せ位置取得部２０３は、取得した問合せ位置の情報をマッチング部２０４に供給することができる。
【００７２】
（マッチング部２０４）
マッチング部２０４は、問合せ位置取得部２０３により取得された問合せ位置と、公開者位置情報記憶部２０２に記録された公開者の位置情報とをマッチングすることにより、ユーザ装置１０ａにより問合せされた対象人物がどの公開者であるかを特定する機能を有する。マッチング部２０４は、特定された公開者を識別する情報を通知部２０５に供給することができる。
【００７３】
（通知部２０５）
通知部２０５は、マッチング部２０４により特定される公開者の公開情報にアクセスするためのアクセス情報を、ユーザ装置１０ａに通知する機能を有する。通知部２０５は、例えば公開情報へのアクセス期限が限られた期限付アクセス権が付与されたアクセス情報をユーザ装置１０ａに通知することができる。なお、通知部２０５は、マッチング部２０４により一人の公開者が特定されなかった場合には、複数の公開者からユーザ５に特定の公開者を選択させるようにしてもよい。例えば、通知部２０５は、マッチング部２０４により抽出された複数の公開者の特徴をユーザ５に提供することができる。例えば、通知部２０５は、「２０代女性」「５０代男性」といった特徴をユーザ５に通知することができる。
【００７４】
なお、上記期限付アクセス権が付与されたアクセス情報の実現方法としては様々考えられる。例えば、通知部２０５は、対象人物６の情報にアクセスするために配信するパスワードなどのキーを例えば１分毎に変更してもよい。ユーザ５が公開情報に対してアクションを行うときには、毎回キーの提示が求められることが望ましい。場合によっては、１つ又は２つ古いキーであってもアクセス可能とすることによって、ユーザ５が注視をやめてから数分間は公開情報にアクセスすることができるようにしてもよい。このキーは、例えば公開情報にアクセスするためのＵＲＬ（Ｕｎｉｆｏｒｍ  Ｒｅｓｏｕｒｃｅ  Ｌｏｃａｔｏｒ）そのものであってもよい。
【００７５】
［２−５．公開情報サーバの機能構成］
次に、図１１〜図１５を参照しながら本開示の第１の実施形態に係る公開情報サーバの機能構成について説明する。図１１は、同実施形態に係る公開情報サーバの機能構成を示すブロック図である。図１２は、同実施形態における公開情報の一例について説明する説明図である。図１３は、同実施形態における公開情報の他の一例について説明する説明図である。図１４は、同実施形態における公開情報の他の一例について説明する説明図である。図１５は、同実施形態におけるアクション通知の一例を示す説明図である。
【００７６】
（（公開情報サーバ３０））
図１１を参照すると、公開情報サーバ３０は、公開情報生成部３０１と、公開情報記憶部３０２と、要求受付部３０３と、公開情報提供部３０４と、アクション受付部３０５と、アクション情報生成部３０６と、アクション通知部３０７とを主に有する。
【００７７】
（公開情報生成部３０１）
公開情報生成部３０１は、公開情報を生成して公開情報記憶部３０２に記憶させる機能を有する。公開情報生成部３０１は、例えば公開者の情報公開者端末４０に対して、公開情報を生成するための公開情報生成画面を提供することができる。この公開情報生成画面は、例えばパーツを配置してテキストを入力することにより公開情報を生成することができてもよい。また、公開情報生成画面は、図１２に示されるように、ＲＦ（Ｒａｄｉｏ  Ｆｒｅｑｕｅｎｃｙ）タグなどに記憶された商品の情報を読取ることにより、自動的に公開情報を生成する機能を有していてもよい。例えば、ＲＦタグを読取ることにより、自動的にアフィリエイトリンクを埋め込んだテキストを含む公開情報が生成されてもよい。例えば、公開情報は、公開者の着ている衣類、公開者の遊んでいるゲーム、公開者の読んでいる本、公開者の聞いている音楽などの情報を含むテキストや画像などであってよい。また、このテキストには、上述のように対応する商品へのアフィリエイトリンクなどが含まれてよい。この公開情報を見たユーザ５は、このリンクを操作することによって、対応する商品を購入することができる。アフィリエイトリンクには、このアフィリエイトリンクを作成したユーザ（アフィリエイターという）を特定する情報が含まれている。そして、このアフィリエイトリンクから商品を購入した人がいると、アフィリエイターに対してこの購入代金の一部が支払われる仕組みとなっている。
【００７８】
ここで公開情報は、公開者からのメッセージだけに限らない。例えば図１３にその他の公開情報の一例が示される。例えば、公開情報５４は、公開情報５４を見るユーザ５からのメッセージを受付ける入力領域５４１を含む。また公開情報５５は、ユーザ５が公開者６に対して共感したことを容易に示すための共感ボタン５０２が含まれる。ユーザ５は、この共感ボタン５０２を押下するだけで、公開者に対して共感の意を示すことができる。また、公開情報５５は、募金ボタン５０３を含む。この募金ボタン５０３は、公開者への募金を実行するためのボタンである。ユーザ５は、この募金ボタン５０３を押下するだけで、公開者に募金をすることができる。また、公開情報５６は、公開者に関わるＷｅｂページのアドレスを含むメッセージ５６１と、共感ボタン５０２及び募金ボタン５０３を含む。ここで示すように、芸術活動を行っている公開者は、自らの活動をアピールするためにこの公開情報５６を利用することができる。また、公開情報５７は、アンケート領域５７１を含んでもよい。例えば公開者が着ている衣類について、「このジャケット、何色だったら欲しい？」というメッセージと、アンケートを受付けるアンケート領域５７１とが含まれる。このような公開情報を用いることによって、実際に着ている衣類について、どんな色であれば売れるのか市場調査に用いることもできる。このアンケート領域５７１には、例えば現時点までの集計結果が表示されてもよい。またこのアンケート領域５７１に表示される選択肢は、ユーザ５の所望する選択肢がない場合には、ユーザ５自身が新たな選択肢を生成することができてもよい。
【００７９】
また、図１４にさらに他の公開情報の一例が示される。例えば公開情報５８及び公開情報５９は、より単純に公開者からのメッセージだけを含む公開情報の一例である。例えば、公開情報５８に示されるように、公開者は「年寄りじゃないから席は譲らないでください！」というメッセージを公開情報として公開することができる。また、公開情報５９に示されるように、公開者は「目黒で降ります！」というメッセージを公開情報として公開することができる。このような公開情報５９を公開することによって、例えばこの公開情報５９を見た周りのユーザ５は、目黒駅からはこの公開者の座っている座席が空くことを知ることができる。また、この公開者が目黒駅において寝ている場合には、これに気づいた回りのユーザ５がこの公開者を起こしてあげることもできるかもしれない。
【００８０】
また、ここで生成される公開情報は、公開に関する制限情報が付与されていてもよい。例えば、公開者が自分の公開情報を公開する相手を距離で制限することができてもよい。ここでは、公開情報を取得するユーザ５は、公開者である対象人物６に対してユーザ装置１０をかざす。このため、近くでユーザ装置１０をかざされることに不快感を抱く公開者は、所定の距離以上離れた相手に公開情報を提供するように設定することができることが好ましい。なお、この距離に基づいた公開制限は、公開者の設定に限らず、コミュニケーションシステムの負荷を調整するために設けられてもよい。
【００８１】
なお、ここでは公開情報サーバ３０が公開情報生成画面を提供する構成としたが、本開示はかかる例に限定されない。例えば、情報公開者端末４０内のアプリケーションにおいて公開情報生成画面を生成して提供することもできる。この場合には、公開情報生成部３０１は、情報公開者端末４０において生成された公開者情報を受信して、公開情報記憶部３０２に記憶させることができる。
【００８２】
（公開情報記憶部３０２）
公開情報記憶部３０２は、生成された公開情報を記憶する記憶部である。公開情報記憶部３０２に記憶される公開情報は、公開者を識別する識別子と対応づけて管理されてよい。公開情報記憶部３０２は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００８３】
（要求受付部３０３）
要求受付部３０３は、ユーザ装置１０からの公開情報の要求を受付ける機能を有する。例えば要求受付部３０３は、ユーザ装置１０がアクセス情報に基づいて公開情報サーバ３０にアクセスしてくると、このアクセス情報から公開者の識別子を特定して公開情報提供部３０４に供給することができる。
【００８４】
（公開情報提供部３０４）
公開情報提供部３０４は、ユーザ装置１０から要求された公開者の公開情報を提供する機能を有する。公開情報提供部３０４は、要求受付部３０３から特定の公開者の識別子が供給されると、この識別子により特定される公開者の公開情報を公開情報記憶部３０２から抽出する。そして公開情報提供部３０４は、抽出した公開情報をユーザ装置１０に提供することができる。なお、公開情報提供部３０４は、ユーザ５が対象人物６に注視している間はセッションを維持することが望ましい。例えば公開情報提供部３０４は、ユーザ５が対象人物６から視線を外した場合に、時間制限のキーを発行して制限時間内はユーザ装置１０とのセッションを維持することが望ましい。
【００８５】
（アクション受付部３０５）
アクション受付部３０５は、ユーザ装置１０に提供された公開情報に対して実行されたアクションに関する情報を受付ける機能を有する。例えば、アクション受付部３０５は、上述の共感ボタン５０２が押下されたこと、上述の公開情報内の入力領域を介して入力されたコメント、上述のアンケートに対してユーザ５が選択した選択肢、などの情報を受付けることができる。アクション受付部３０５は、ユーザ５からのアクションを受付けると、アクション情報生成部３０６に受付けた情報を供給することができる。
【００８６】
（アクション情報生成部３０６）
アクション情報生成部３０６は、公開情報に対してユーザ５が実行したアクションに関するアクション情報を生成することができる。アクション情報生成部３０６は、公開情報毎に、例えばいつ、どこで、どのようなアクションがなされたかについての情報を生成してもよい。また、アクション情報生成部３０６は、アクションの種別毎に、公開情報毎のアクション数を集計して、アクション数のランキングを示すアクション情報を生成してもよい。アクション情報生成部３０６は、統計情報としてのアクション情報を生成してもよい。またアクション情報生成部３０６は、公開情報の公開者に通知するためのアクション情報を生成してもよい。
【００８７】
（アクション通知部３０７）
アクション通知部３０７は、公開情報の公開者に公開情報に対するアクションに関するアクション情報を通知する機能を有する。例えばアクション通知部３０７は、公開情報に対してアクションが実行される毎に、公開者に対してアクションが実行された旨を通知してもよい。またこのとき、アクション通知部３０７は、アクションが実行されてから所定の条件を満たした後にこのアクションが実行された旨を通知してもよい。ここで、所定の条件は、例えばアクションが受付けられてから所定時間経過することであってよい。また、所定の条件は、例えばユーザと公開者とが所定の距離離れたことであってよい。また所定の条件は、例えば公開者からの要求があったことであってよい。本実施形態に係るコミュニケーションシステム１は、匿名かつその場限りのコミュニケーションを意図している。例えば周りに人が少ない場合には、アクションを実行した人物が公開者に特定されてしまうかもしれない。このため、意図的に所定時間遅らせてからアクションを通知することによって、例えば周りに人が少ないような場所においてもアクションを行ったユーザ５を特定することができないようにすることができる。この所定時間は、ユーザ５の特定を避けるために必要な時間であることが望ましい。またアクション通知部３０７は、アクションに関する統計情報を公開者に通知してもよい。例えば、公開者に対して通知されるアクション情報の一例としては、アクション数のランキング情報（公開者自身の順位、上位者のアクション数など）、所定期間におけるアクション数の総計であってよい。
【００８８】
例えば、アクション通知部３０７が通知するアクション情報の一例が図１５に示される。例えば、アクション情報４１は、「今月あなたにイイネしてくれたのはｘ人で、合計ｙ人です。」と、公開者毎の共感ボタン５０２押下数の集計情報を含む。また、アクション情報４２は、「次のメッセージを受け取りました。・ボタン外れてますよ！・その人は痴漢じゃないですよ！」と、公開情報の入力欄に入力されたメッセージを含む。
【００８９】
［２−６．動作例］
ここで、図１６及び図１７を参照しながら、本開示の第１の実施形態に係るコミュニケーションシステム１の動作例を説明する。図１６は、同実施形態に係るコミュニケーションシステムの動作例を示すシーケンス図である。図１７は、同実施形態に係るコミュニケーションシステムの他の動作例を示すシーケンス図である。
【００９０】
図１６を参照すると、まず情報公開者端末４０は、公開情報サーバ３０に生成した公開情報を送信する（Ｓ１００）。そして、情報公開者端末４０は、定期的に位置情報を位置共有サーバ２０に送信する。位置情報を受信した位置共有サーバ２０は、位置情報を公開者の識別子と共に記憶させる。
【００９１】
そして、ユーザ５がユーザ装置１０ａを情報公開者である対象人物６に向けてかざし、表示画面上に表示された対象人物をタップすると、ユーザ装置１０ａは、映像を取得する（Ｓ１１０）。このとき映像取得部１０１は、例えばタップ入力がなされたときのスナップショットを撮って対象位置推定部１０２に供給する。すると、対象位置推定部１０２は、対象人物の位置を推定する（Ｓ１１５）。
【００９２】
次に、ユーザ装置１０ａのアクセス情報取得部１０６ａは、対象人物の位置情報を位置共有サーバ２０に送信して該当者の問合せを行う（Ｓ１２０）。位置共有サーバ２０は、この問合せに対して該当者の特定を行うと、該当者の公開情報へのアクセスＩＤをユーザ装置１０ａに送信する（Ｓ１２５）。
【００９３】
ユーザ装置１０ａは、取得したアクセスＩＤを用いて、公開情報サーバ３０に対して対象人物の公開情報を要求する（Ｓ１３０）。公開情報サーバ３０は、この要求に応じて対象人物の公開情報をユーザ装置１０ａに送信する（Ｓ１４０）。
【００９４】
ユーザ５がこの取得した公開情報に対して何らかのアクションを行うと、ユーザ装置１０ａは、このアクションが実行されたことを公開情報サーバ３０に通知する（Ｓ１４０）。公開情報サーバ３０は、このアクションを情報公開者端末４０に通知することができる（Ｓ１４５）。
【００９５】
なお、このステップＳ１４５に示されるアクション通知は、図１７に示されるように、所定の条件に基づいてアクション通知のタイミングが判断されてもよい。公開情報サーバ３０は、ユーザ装置１０ａからのアクション通知（Ｓ１４０）が受信されてから所定の条件を満たしたか否かを判断することができる（Ｓ１４２）。そして、このステップＳ１４２における判断により所定の条件を満たしたと判断された後に、アクション通知が実行されてもよい（Ｓ１４５）。ここで、所定の条件は、例えばアクションが受付けられてから所定時間経過することであってよい。また、所定の条件は、例えばユーザと公開者とが所定の距離離れたことであってよい。また所定の条件は、例えば公開者からの要求があったことであってよい。なお、ここでアクション通知を所定の条件を満たした後に実行する変形例について説明したが、かかる構成は、下記にて説明するいずれの実施形態にも適用することができる。
【００９６】
＜３．第２の実施形態（位置情報及び視界情報に基づいてアクセス情報を取得する例）＞
［３−１．システム構成］
次に、本開示の第２の実施形態に係るコミュニケーションシステムの構成について、図１８を参照しながら説明する。図１８は、本開示の第２の実施形態に係るコミュニケーションシステムの構成を示す説明図である。
【００９７】
コミュニケーションシステム２は、ユーザ５の保持するユーザ装置１０ｂと、位置・視覚共有サーバ２２と、公開情報サーバ３０と、情報公開者端末４０とを主に有する。
【００９８】
本実施形態に係るコミュニケーションシステム２は、推定された対象人物６の位置に加えて、推定された対象人物６の視界情報に基づいて、対象人物６の公開情報が特定される。
【００９９】
例えば図１９に示されるように、情報公開者が複数行列している状況において、ユーザ５が、行列の中の特定の対象人物６ｃの公開情報が欲しい場合を考えてみる。このとき、ユーザ装置１０ｂからは対象人物６の正面がそれぞれ見えている状況であると仮定する。ここで、ユーザ装置１０ｂは、ユーザ装置１０ｂから取得することのできる映像に基づいて、対象人物６ｃの視界を推定する。図１９の右下には、推定された視界画像６２が示される。このとき、対象人物６ｃからは、人物６ａと人物６ｂの後ろ姿が見えているはずであり、人物６ａが人物６ｂの左に見えるはずである。また、ユーザ装置１０ｂは、画像解析により対象人物６ｃの向いている方位も推定することができてもよい。
【０１００】
一方、情報公開者である対象人物６は、定期的に自身の位置情報及び視界情報を位置・視界共有サーバ２２にアップロードする。例えば、位置情報及び視界情報のアップロードは、所定時間間隔で定期的に実行されてよい。位置・視覚共有サーバ２２は、この共有される位置情報及び視界情報と、ユーザ装置１０ｂにより推定される対象人物６の位置情報及び視界情報とを比較することにより、対象人物６が公開する公開情報を特定することができる。このとき、視界情報には推定画像に加えて、対象人物６の向いている方位情報が含まれてもよい。そして、位置・視覚共有サーバ２２は、共有される方位情報と、推定される方位情報とをさらにマッチングに用いることができる。なお、ここでアップロードされる視界情報は、例えば情報公開者からみた視界を含む映像データを含んでよい。また、ここでアップロードされる視界情報は、情報公開者の向いている方位情報を含んでもよい。
【０１０１】
以下では、このコミュニケーションシステム２に含まれる各構成要素の詳細について説明する。なお、以下の説明中において、第１の実施形態と同様である点については説明を省略し、主に差異点についてのみ述べる。
【０１０２】
［３−２．ユーザ装置の機能構成］
次に、図２０を参照しながら、本実施形態に係るユーザ装置の機能構成について説明する。図２０は、同実施形態に係るユーザ装置の機能構成を示すブロック図である。
【０１０３】
（（ユーザ装置１０ｂ））
図２０を参照すると、本実施形態に係るユーザ装置１０ｂは、映像取得部１０１と、対象位置推定部１０２と、方位取得部１０３と、位置情報取得部１０４と、対象距離取得部１０５と、対象視界推定部１０９と、アクセス情報取得部１０６ｂと、公開情報取得部１０７と、表示制御部１０８とを主に有する。
【０１０４】
（対象視界推定部１０９）
対象視界推定部１０９は、対象人物６の視界情報を推定する機能を有する。図１９を用いて上述されたように、本実施形態においては視界情報が対象人物の公開情報を特定するために用いられる。対象視界推定部１０９は、映像取得部１０１の取得する映像を用いて、対象人物６の推定される視界情報を生成することができる。例えば、この視界情報は、映像取得部１０１により取得される映像から推定される、対象人物６から見た視界画像を含む。また、視界情報は、対象人物６の向いている方位情報を含んでもよい。対象視界推定部１０９は、推定した視界情報と、対象位置推定部１０２により推定された対象人物６の位置情報とをアクセス情報取得部１０６ｂに供給することができる。
【０１０５】
（アクセス情報取得部１０６ｂ）
アクセス情報取得部１０６ｂは、映像取得部１０１により取得される映像中の対象人物６と対応付けられる公開情報への期限付アクセス権が付与されたアクセス情報を取得する機能を有する。アクセス情報取得部１０６ｂは、対象位置推定部１０２により推定された、対象人物６の位置情報に基づいて、アクセス権を取得することができる。また、アクセス情報取得部１０６ｂは、対象視界推定部１０９により推定された、対象人物６の視界情報に基づいて、アクセス権を取得することができる。具体的には、アクセス情報取得部１０６ｂは、位置・視界共有サーバ２２に、推定された、対象人物６の位置情報及び視界情報を送信する。そしてアクセス情報取得部１０６ｂは、この位置情報及び視界情報の少なくともいずれかに基づいて特定された人物の公開情報にアクセスするためのアクセス情報を受信する。アクセス情報取得部１０６ｂは、取得したアクセス情報を公開情報取得部１０７に供給することができる。
【０１０６】
以上、本実施形態に係るユーザ装置１０ｂの機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。このユーザ装置１０ｂは、本開示の第１の実施形態において図９を用いて説明したハードウェア構成を取ることができる。しかし、本実施形態を実施する時々の技術レベルに応じて、適宜、利用する構成を変更することが可能である。
【０１０７】
なお、上述のような本実施形態に係るユーザ装置１０ｂの各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【０１０８】
［３−３．位置・視界共有サーバの機能構成］
次に、図２１を参照しながら本開示の第２の実施形態に係る位置・視界共有サーバの機能構成について説明する。図２１は、同実施形態に係る位置・視界共有サーバの機能構成を示すブロック図である。
【０１０９】
（（位置・視界共有サーバ２２））
図２１を参照すると、位置・視界共有サーバ２２は、公開者位置視界取得部２２１と、公開者位置・視界情報記憶部２２２と、問合せ位置視界取得部２２３と、マッチング部２２４と、通知部２２５とを主に有する。
【０１１０】
（公開者位置視界取得部２２１）
公開者位置視界取得部２２１は、公開情報を公開する公開者の位置情報及び視界情報を取得する機能を有する。公開者位置視界取得部２２１は、公開者の位置情報及び視界情報を受信すると、公開者位置・視界情報記憶部２２２に公開者の位置情報及び視界情報を記憶させる。このとき公開者位置視界取得部２２１は、例えば公開者を識別する識別子を位置情報及び視界情報と共に受信して、識別子を位置情報と対応付けて記憶させることができる。また公開者位置視界取得部２２１は、例えば位置情報及び視界情報を取得した日時を位置情報及び視界情報と対応付けて記憶させてもよい。
【０１１１】
（公開者位置・視界情報記憶部２２２）
公開者位置・視界情報記憶部２２２は、公開者の位置情報及び視界情報を記憶する記憶部である。公開者位置・視界情報記憶部２２２に記憶される情報は、上述の通り位置情報と、視界情報と、公開者の識別子と、位置情報及び視界情報が取得された日時とを含んでよい。また公開者位置・視界情報記憶部２２２は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【０１１２】
（問合せ位置視界取得部２２３）
問合せ位置視界取得部２２３は、ユーザ装置１０ｂから送信される対象人物６の位置情報及び視界情報を取得する機能を有する。ここで問合せ位置視界取得部２２３が取得する位置情報及び視界情報は、ユーザ装置１０ｂにおいて推定された位置情報及び視界情報である。ここで、位置視界取得部２２３がユーザ装置１０ｂから取得する位置情報を問合せ位置情報と称し、同様に位置視界取得部２２３がユーザ装置１０ｂから取得する視界情報を問合せ視界情報と称する。問合せ位置視界取得部２２３は、取得した問合せ位置情報及び問合せ視界情報をマッチング部２２４に供給することができる。
【０１１３】
（マッチング部２２４）
マッチング部２２４は、問合せ位置視界取得部２２１により取得された問合せ位置情報及び問合せ視界情報の少なくともいずれかに基づいて、ユーザ装置１０ｂにより問合せされた対象人物がどの公開者であるかを特定する機能を有する。例えばマッチング部２２４は、問合せ位置情報と、公開者位置・視界情報記憶部に記憶される位置情報とをマッチングすることにより、公開者を抽出することができる。このとき、マッチング部２２４は、公開者が複数抽出された場合に、さらに視界情報のマッチングを行ってもよい。すなわち、位置情報に基づいて公開者が複数抽出されると、マッチング部２２４は、問合せ視界情報と、公開者位置・視界情報記憶部に記憶される視界情報とをマッチングすることにより、公開者を特定してもよい。マッチング部２２４は、特定された公開者を識別する情報を通知部２２５に供給することができる。
【０１１４】
（通知部２２５）
通知部２２５は、マッチング部２２４により特定される公開者の公開情報にアクセスするためのアクセス情報を、ユーザ装置１０ｂに通知する機能を有する。通知部２２５は、例えば公開情報へのアクセス期限が限られた期限付アクセス権が付与されたアクセス情報をユーザ装置１０ｂに通知することができる。なお、通知部２２５は、マッチング部２２４により一人の公開者が特定されなかった場合には、複数の公開者からユーザ５に特定の公開者を選択させるようにしてもよい。例えば、通知部２２５は、マッチング部２２４により抽出された複数の公開者の特徴をユーザ５に提供することができる。例えば、通知部２２５は、「２０代女性」「５０代男性」といった特徴をユーザ５に通知することができる。
【０１１５】
［３−４．動作例］
ここで、図２２を参照しながら、本開示の第２の実施形態に係るコミュニケーションシステム２の動作例を説明する。図２２は、同実施形態に係るコミュニケーションシステムの動作例を示すシーケンス図である。
【０１１６】
図２２を参照すると、まず情報公開者端末４０は、公開情報サーバ３０に生成した公開情報を送信する（Ｓ２００）。そして、情報公開者端末４０は、定期的に位置情報及び視界情報を位置・視界共有サーバ２２に送信する。このとき、上述の通り情報公開者端末４０は、公開者を識別する情報を位置・視界共有サーバ２２に送信してよい。位置情報及び視界情報を受信した位置・視界共有サーバ２２は、位置情報及び視界情報を、公開者の識別子と共に記憶させる。
【０１１７】
そして、ユーザ５がユーザ装置１０ｂを情報公開者である対象人物６に向けてかざし、表示画面上に表示された対象人物をタップすると、ユーザ装置１０ｂは、映像を取得する（Ｓ２１０）。このとき映像取得部１０１は、例えばタップ入力がなされたときのスナップショットを撮って対象位置推定部１０２に供給する。すると、対象位置推定部１０２は、対象人物の位置を推定する（Ｓ２１５）。
【０１１８】
また、対象視界推定部１０９は、スナップショットを用いて、対象人物６の視界を推定する（Ｓ２１７）。このとき、対象視界推定部１０９は、対象人物６の視界画像を生成すると共に、対象人物６の向いている方位を推定してもよい。
【０１１９】
次に、ユーザ装置１０ｂのアクセス情報取得部１０６ｂは、対象人物６の位置情報を位置・視界共有サーバ２２に送信して該当者の問合せを行う（Ｓ２２０）。位置・視界共有サーバ２２は、この問合せに対して位置・視界マッチング処理を行う（Ｓ２２２）。そしてこの位置・視界マッチング処理により該当者が特定されると、位置・視界共有サーバ２２は、該当者の公開情報へのアクセスＩＤをユーザ装置１０ｂに送信する（Ｓ２２５）。
【０１２０】
ユーザ装置１０ｂは、取得したアクセスＩＤを用いて、公開情報サーバ３０に対して対象人物６の公開情報を要求する（Ｓ２３０）。公開情報サーバ３０は、この要求に応じて対象人物６の公開情報をユーザ装置１０ｂに送信する（Ｓ２３５）。ユーザ装置１０ｂの表示制御部１０８は、取得した公開情報を表示画面上に表示する。
【０１２１】
ユーザ５が表示された公開情報に対して何らかのアクションを行うと、ユーザ装置１０ｂは、このアクションが実行されたことを公開情報サーバ３０に通知する（Ｓ２４０）。公開情報サーバ３０は、このアクションを情報公開者端末４０に通知することができる（Ｓ２４５）。
【０１２２】
＜４．第３の実施形態（アクセス情報を情報公開者が発信する例）＞
［４−１．システム構成］
次に、本開示の第３の実施形態に係るコミュニケーションシステムの構成について、図２３を参照しながら説明する。図２３は、本開示の第３の実施形態に係るコミュニケーションシステムの構成を示す説明図である。
【０１２３】
上記の第１の実施形態及び第２の実施形態に係るコミュニケーションシステムは、対象者６の位置情報などに基づいたマッチングにより公開者を特定してアクセス情報を取得する構成を有していた。しかし、本技術はかかる例に限定されず、ここで第３の実施形態として示されるように、公開者が発信するアクセス情報が直接ユーザ装置１０ｃにより読取られてもよい。ここでは、公開者は、光通信を用いることによりアクセス情報を発信している。
【０１２４】
本開示の第３の実施形態に係るコミュニケーションシステム３は、ユーザ５の保持するユーザ装置１０ｃと、公開情報サーバ３０と、情報公開者端末４０とを主に有する。情報公開者は、自身の公開情報にアクセスするためのアクセスＩＤを光の点滅パターンを用いて発信している。この光は、不可視光であってよい。ユーザ装置１０ｃは、撮像装置によりこの点滅パターンを読取り、アクセスＩＤを取得することができる。
【０１２５】
以下では、本開示の第１の実施形態又は第２の実施形態と同様である点については同じ符号を付することにより説明を省略し、主に差異点についてのみ述べる。
【０１２６】
［４−２．ユーザ装置の機能構成］
次に、図２４を参照しながら、本実施形態に係るユーザ装置の機能構成について説明する。図２４は、同実施形態に係るユーザ装置の構成を示すブロック図である。
【０１２７】
（（ユーザ装置１０ｃ））
図２４を参照すると、本実施形態に係るユーザ装置１０ｃは、映像取得部１０１と、アクセス情報取得部１０６ｃと、公開情報取得部１０７と、表示制御部１０８とを主に有する。
【０１２８】
（アクセス情報取得部１０６ｃ）
アクセス情報取得部１０６ｃは、映像取得部１０１により取得される映像中の対象人物６と対応づけられる公開情報への期限付アクセス権が付与されたアクセス情報を取得する機能を有する。アクセス情報取得部１０６ｃは、映像取得部１０１により取得される映像から光の点滅パターンを読取り、このパターンにより示されるアクセスＩＤを取得することができる。アクセス情報取得部１０６ｃは、取得したアクセス情報を公開情報取得部１０７に供給することができる。なお、このアクセスＩＤは、公開情報サーバ３０上のアクセスＩＤと同期がとられている。例えばワンタイムパスワードのタイムスタンプ方式などが用いられてよい。
【０１２９】
以上、本実施形態に係るユーザ装置１０ｃの機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。このユーザ装置１０ｂは、本開示の第１の実施形態において図９を用いて説明したハードウェア構成を取ることができる。しかし、本実施形態を実施する時々の技術レベルに応じて、適宜、利用する構成を変更することが可能である。
【０１３０】
なお、上述のような本実施形態に係るユーザ装置１０ｃの各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【０１３１】
［４−３．動作例］
ここで、図２５を参照しながら、本開示の第３の実施形態に係るコミュニケーションシステム３の動作例を説明する。図２５は、同実施形態に係るコミュニケーションシステムの動作例を示すシーケンス図である。
【０１３２】
図２５を参照すると、まず、情報公開者端末４０は、公開情報サーバ３０に生成した公開情報を送信する（Ｓ３００）。そして、情報公開者端末４０は、アクセスＩＤを発信する（Ｓ３０５）。情報公開者は、不特定の装置に対して光の点滅パターンを用いてアクセスＩＤを発信する。なお、ここでは情報公開者端末４０がアクセスＩＤを発信するものとして記述されるが、本技術はかかる例に限定されない。ユーザ装置１０ｃがこの光を受けることのできる範囲内において、イメージセンサを情報公開者に向け、映像取得部１０１が映像を取得する（Ｓ３１０）。そして、アクセス情報取得部１０６ｃは、取得された映像からアクセス情報を読み取ることにより取得する（Ｓ３１５）。
【０１３３】
次に、ユーザ装置１０ｃは、取得したアクセスＩＤを用いて、公開情報サーバ３０に対して対象人物６の公開情報を要求する（Ｓ３３０）。公開情報サーバ３０は、この要求に応じて対象人物６の公開情報をユーザ装置１０ｃに送信する（Ｓ３３５）。
【０１３４】
ユーザ５が表示された公開情報に対して何らかのアクションを行うと、ユーザ装置１０ｃは、このアクションが実行されたことを公開情報サーバ３０に通知する（Ｓ３４０）。公開情報サーバ３０は、このアクションを情報公開者端末４０に通知することができる（Ｓ３４５）。
【０１３５】
＜５．個人情報について＞
以上説明したように、本開示の各実施形態に係るコミュニケーションシステムによれば、現時点において目の前に居る他人と、お互い匿名でコミュニケーションを行うことができる。このとき、匿名のコミュニケーションを意図しているために、本開示の各実施形態に係るコミュニケーションシステムは、システムの利用履歴情報を適切に管理することも重要である。
【０１３６】
例えば、閲覧した公開情報に対してアクションを行ったユーザ５側に残る履歴としては、いつ、どこで、何をしたかに関する情報であってよい。また、アクションを行った対象人物に関する情報については、取得した映像を残すか否かが公開者側の設定に従って制御されてもよい。また、取得した画像を残すことができないようにしてもよい。または、アクションを行った回数が履歴情報として残されてもよい。
【０１３７】
また、公開者側に残る履歴としては、いつ、どこで、何をされたかに関する情報であってよい。また、アクションを行ったユーザ５に関する情報は残さないことが望ましい。または、それぞれのアクションが行われた回数のみが残されてもよい。
【０１３８】
また、コミュニケーションシステムが記憶する履歴情報としては、いつ、どこで、誰が、誰に、何を行ったかについての情報であってよい。ただし、ユーザ５及び対象人物６に関する情報は、例えば個人情報を守るための制御や統計情報の生成に用いられ、ユーザ５又は公開者に対して提供されないことが望ましい。また上述の通り、個人を特定しない範囲内で統計情報が提供されてもよい。例えばランキング情報などは、利用促進に寄与すると考えられる。
【０１３９】
また、上記の実施形態においては、公開情報にアフィリエイトリンクを含むことが記載されている。しかし、アフィリエイトＩＤから個人が特定されることは、匿名のコミュニケーションを意図する本コミュニケーションシステムにとっては望ましくない。このため、例えば本開示のコミュニケーションシステム内だけで利用することのできるアフィリエイトＩＤが提供されてもよい。さらに、このアフィリエイトＩＤが所定時間毎に変更されれば、さらに個人の追跡が困難となり、個人情報の保護につながる。例外的に、著名人が公開者である場合には、履歴情報が残せるようにしてもよい。
【０１４０】
＜６．効果の例＞
以上説明したように、本開示の各実施形態に係るコミュニケーションシステムによれば、現時点において目の前に居る他人と、お互い匿名で、個人情報を渡さずにコミュニケーションを行うことができる。ここでお互い匿名とすることにより、ある程度気軽なコミュニケーションが期待できる。例えば公開情報に設けられたメッセージの入力領域を用いれば、お互いに身元を明かさずに目の前の他人に言葉をかけることができる。また、公開情報に設けられた共感ボタンを押下することにより、自分を注視して何らかの共感が持たれたことを可視化することができる。人目を可視化することにより新たなコミュニケーションの形態が生み出される可能性がある。
【０１４１】
また、特定の対象人物６を特定するために、上述のように位置情報や直接発信するアクセスＩＤが用いられる。このため、サービス利用のために顔写真を公開する必要はなく、個人情報の保護の観点からも望ましい。
【０１４２】
また、公開情報に設けられた募金ボタンを用いれば、善意を顕在化することもできる。かかるシステムによれば、ボタンを押下するという簡単な行為によって募金を行うことができる。このとき、募金を受ける対象が目の前に居る人であるために、募金を受ける対象を直接目で見つつも匿名で善意を表すことができる。
【０１４３】
また、例えば公開情報に設けられたメッセージの入力欄は、騒音の中など声が届かない環境でのコミュニケーションを可能にすることができる。また、公開情報に自分が着用している衣類、持っている商品、聞いている音楽などをアピールするとともに、見た人が直接購入することができるリンクへ誘導することができれば、新たなビジネスを創造することができる可能性がある。
【０１４４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４５】
例えば、上記実施形態においては、ユーザ装置１０がスマートフォンである場合について説明されたが、本開示の技術的範囲はかかる例に限定されない。例えばユーザ装置１０は、ＰＣ（Ｐｅｒｓｏｎａｌ  Ｃｏｍｐｕｔｅｒ）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器、ＰＤＡ（Ｐｅｒｓｏｎａｌ  Ｄｉｇｉｔａｌ  Ａｓｓｉｓｔａｎｔｓ）などの情報処理装置であってもよい。また、上記にて説明されたユーザ装置１０のハードウェア構成は、ユーザ装置１０がスマートフォンである場合の一例である。ユーザ装置１０は、ここで説明される構成要素の一部を省略する構成を取りうることはもちろん、ここで説明される構成要素以外の構成要素を有する構成をも取りうる。
【０１４６】
また、上記実施形態においては、ユーザ５がユーザ装置１０を対象人物６にかざして映像を取得し、対象人物６を表示画面上で特定することにより対象人物６の公開する公開情報のアクセス情報を取得することとしたが、本開示の技術的範囲はかかる例に限定されない。例えば、第１の実施形態及び第２の実施形態において説明したように、位置情報に基づいて対象人物６を特定する場合には、まずユーザ５の周辺に情報を公開している公開者が存在しているかどうかを地図やレーダー表示などでユーザ装置１０に表示させてもよい。
【０１４７】
また、上記実施形態においては、対象人物から公開情報を特定することとしたが、本開示の技術的思想はかかる例に限定されない。例えば、人物ではなくモノに対して公開情報が対応づけられてもよい。
【０１４８】
なお、上記実施形態においては、ユーザ装置１０の機能は一体の装置により実現されることとしたが、本開示の技術的範囲はかかる例に限定されない。例えば、ユーザ装置１０の機能は、２台以上の装置が連携して実現されてもよい。例えば、頭部装着型表示装置（以下、ヘッドマウントディスプレイ：ＨＭＤと称する）がユーザ装置１０と連携して用いられてもよい。例えばＨＭＤにおいて対象人物６の指定が行われてもよい。この場合、所定時間以上注視している状態が継続すると、注視している領域に存在する人物が対象人物６として指定されてもよい。或いは、片目をつぶって行う合図（いわゆるウインク）によって対象人物６が指定されてもよい。また例えば、ＨＭＤのディスプレイ上に公開情報が表示されてもよい。このＨＭＤ上に表示される公開情報に対するアクション操作は、例えばＨＭＤにおいて行われてもよい。或いは、ＨＭＤ上に表示される公開情報に対するアクション操作は、ユーザ装置１０などの他の装置において行われてもよい。このとき、ユーザ装置１０とＨＭＤとの連携は、例えばユーザＩＤにより同一のユーザ５であることが認証されることが望ましい。またはユーザ装置１０は、近距離無線通信を用いて接続することのできるＨＭＤにのみ公開情報が表示されるようにしてもよい。
【０１４９】
例えば上記にて本開示の技術的思想を実現するための一例として、位置共有サーバ２０、位置・視界共有サーバ２２、及び公開情報サーバ３０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。
【０１５０】
また、上記実施形態においては、公開者の位置を発信する端末と、公開情報を生成する端末と、アクション通知を受信する端末とは、同じ情報公開者端末４０であることとしたが、本技術はかかる例に限定されない。公開者の位置を発信する端末と、公開情報を生成する端末と、アクション通知を受信する端末とは、それぞれ別体の装置であってもよい。また、公開者の位置を発信する端末と、公開情報を生成する端末と、アクション通知を受信する端末とは、一部が別体の装置であってもよい。例えば、公開者の位置を発信する端末は、携帯型の装置であり、例えばスマートフォンであってよい。また公開情報を生成する端末、及びアクション通知を受信する端末は、必ずしも携帯型の装置である必要はない。例えば公開情報を生成する端末、及びアクション通知を受信する端末は、ＰＣ（Ｐｅｒｓｏｎａｌ  Ｃｏｍｐｕｔｅｒ）であってよい。
【０１５１】
尚、本明細書において、シーケンス図に記述されたステップは、記載された順序に沿って時系列的に行われる処理はもちろん、必ずしも時系列的に処理されなくとも、本開示の技術的思想の範疇内において、並列的に又は個別的に実行される処理をも含む。また時系列的に処理されるステップでも、場合によっては適宜順序を変更することが可能であることは言うまでもない。
【０１５２】
なお、以下のような構成も本開示の技術的範囲に属する。
（１）
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置。
（２）
前記公開情報は、前記ユーザからのアクションを受付ける受付領域を含む、前記（１）に記載の情報処理装置。
（３）
前記公開情報取得部は、前記公開情報の種類に基づいて選択される公開情報を取得する、前記（１）または（２）のいずれかに記載の情報処理装置。
（４）
前記公開情報取得部は、前記公開情報の公開者の属性に基づいて選択される公開情報を取得する、前記（１）〜（３）のいずれかに記載の情報処理装置。
（５）
前記公開情報取得部は、前記対象との距離に基づいて選択される公開情報を取得する、前記（１）〜（４）のいずれかに記載の情報処理装置。
（６）
前記対象の位置を推定する位置推定部、
をさらに備え、
前記アクセス情報取得部は、推定された前記位置に基づいて特定される前記対象と対応づけられる前記アクセス情報を取得する、
前記（１）〜（５）のいずれかに記載の情報処理装置。
（７）
前記対象の視界を推定する視界推定部、
をさらに備え、
前記アクセス情報取得部は、推定された前記視界にさらに基づいて特定される前記対象と対応づけられる前記アクセス情報を取得する、
前記（６）に記載の情報処理装置。
（８）
前記表示制御部は、前記情報処理装置と対応づけられる頭部装着型表示装置に前記公開情報を表示させる、
前記（１）〜（７）のいずれかに記載の情報処理装置。
（９）
前記アクセス情報取得部は、前記映像から、前記対象が発信する光の点滅パターンを取得し、前記点滅パターンに基づいて前記アクセス情報を取得する、
前記（１）に記載の情報処理装置。
（１０）
前記受付領域は、前記ユーザが募金を行うためのボタンを含む、前記（２）に記載の情報処理装置。
（１１）
前記受付領域は、前記公開情報の公開者へ送付するコメントの入力欄を含む、前記（２）に記載の情報処理装置。
（１２）
前記受付領域により受付けられた前記アクションは、前記公開情報を提供する公開情報提供サーバに送信され、
前記公開情報提供サーバに送信された前記アクションは、所定の条件を満たした後に、前記公開情報の公開者へ通知される、前記（２）に記載の情報処理装置。
（１３）
前記所定の条件は、前記アクションの受付から所定時間経過することである、
前記（１２）に記載の情報処理装置。
（１４）
前記所定の条件は、前記ユーザと前記公開情報の公開者とが所定の距離離れたことである、
前記（１２）に記載の情報処理装置。
（１５）
前記公開情報は、アフィリエイトリンクを含む、
前記（１）〜（１４）に記載の情報処理装置。
（１６）
ユーザが注視する対象を含む映像を取得することと、
前記映像中の前記対象と対応づけられる公開情報への期限付アクセス権が付与されたアクセス情報を取得することと、
前記アクセス情報を用いて、前記公開情報を取得することと、
前記公開情報の表示を制御することと、
を含む、情報処理方法。
（１７）
コンピュータを、
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置として機能させるためのプログラム。
（１８）
コンピュータを、
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置として機能させるためのプログラムを記録する、コンピュータに読取り可能な記録媒体。
（１９）
ユーザが注視する対象を含む映像を取得する映像取得部と、
前記映像中の前記対象と対応づけられる公開情報への期限付アクセス権が付与されたアクセス情報を取得するアクセス情報取得部と、
前記アクセス情報を用いて、前記公開情報を取得する公開情報取得部と、
前記公開情報の表示を制御する表示制御部と、
を備える、情報処理装置と、
位置情報に基づいて特定される前記対象と対応づけられる前記公開情報への前記アクセス情報を前記情報処理装置に提供する位置共有サーバと、
前記期限付アクセス権を有する前記ユーザからのアクセスに応じて、前記公開情報を提供する公開情報提供サーバと、
を備える、情報処理システム。
（２０）
前記公開情報は、前記ユーザからのアクションを受付ける受付領域を含み、
前記公開情報提供サーバは、前記ユーザからのアクションを受付けると、所定の条件を満たした後に、前記アクションの受付を前記公開情報の公開者へ通知する、前記（１９）に記載の情報処理システム。
【符号の説明】
【０１５３】
１，２，３  コミュニケーションシステム
１０        ユーザ装置
１０１      映像取得部
１０２      対象位置推定部
１０３      方位取得部
１０４      位置情報取得部
１０５      対象距離取得部
１０６      アクセス情報取得部
１０７      公開情報取得部
１０９      対象視界推定部
２０        位置共有サーバ
２２        位置・視界共有サーバ
３０        公開情報サーバ
４０        情報公開者端末
【図１】
2013054494.tif 000005
【図２】
2013054494.tif 000006
【図３】
2013054494.tif 000007
【図４】
2013054494.tif 000008
【図５】
2013054494.tif 000009
【図６】
2013054494.tif 000010
【図７】
2013054494.tif 000011
【図８】
2013054494.tif 000012
【図９】
2013054494.tif 000013
【図１０】
2013054494.tif 000014
【図１１】
2013054494.tif 000015
【図１２】
2013054494.tif 000016
【図１３】
2013054494.tif 000017
【図１４】
2013054494.tif 000018
【図１５】
2013054494.tif 000019
【図１６】
2013054494.tif 000020
【図１７】
2013054494.tif 000021
【図１８】
2013054494.tif 000022
【図１９】
2013054494.tif 000023
【図２０】
2013054494.tif 000024
【図２１】
2013054494.tif 000025
【図２２】
2013054494.tif 000026
【図２３】
2013054494.tif 000027
【図２４】
2013054494.tif 000028
【図２５】
2013054494.tif 000029